(57)【要約】【課題】ユーザの後頭部および側頭部を支持するための調整が可能なクッションのような枕の利便性をユーザに提供できる車両用ヘッドレストを提供する。【解決手段】車両用ヘッドレスト１００は、中央部１０２と、中央部１０２の対向する端部に各々取り付けられるとともに前方に伸長し且つ後方に格納される二つの側面部材１０４，１０６と、各側面部材に設けられ、他の側面部材とは独立して、各側面部材を中央部１０２に対して複数の位置にて固定する固定機構５０２とを有する。【選択図】図５
2015217935.tif 000002
【特許請求の範囲】
【請求項１】
中央部と、中央部の対向する端部に各々取り付けられるとともに前方に伸長し且つ後方に格納される二つの側面部材と、
各側面部材に設けられ、他の前記側面部材とは独立して、前記各側面部材を前記中央部に対して複数の位置にて固定する固定機構と
を有する車両用ヘッドレスト。
【請求項２】
前記固定機構は少なくとも格納固定位置または伸長固定位置を有する
請求項１に記載の車両用ヘッドレスト。
【請求項３】
前記側面部材はボタンを備え、
前記ボタンは固定位置から前記固定機構を解除するとともに、前記側面部材を前方に伸長させる、または後方に格納することを可能にする
請求項１に記載の車両用ヘッドレスト。
【請求項４】
前記固定機構は前記ボタンに応じて旋回点を中心に回転するピンを備える
請求項３に記載の車両用ヘッドレスト。
【請求項５】
前記ピンが前記旋回点を中心に回転するとき、前記ピンが前記固定位置から解除されるとともに、前記側面部材を前方に伸長させる、または後方に格納することを可能にする
請求項４に記載の車両用ヘッドレスト。
【請求項６】
前記二つの側面部材は固定角度で伸長する
請求項１に記載の車両用ヘッドレスト。
【請求項７】
前記側面部材が格納されるとき、前記側面部材は前記中央部と面一となる
請求項１に記載の車両用ヘッドレスト。
【発明の詳細な説明】
【技術分野】
【０００１】
本発明は主に、ユーザの長期使用中における快適性を向上する車両用ヘッドレストに関する。
【背景技術】
【０００２】
自動車などの車両のシートには、乗員（ユーザ）の安全と快適性のため、ヘッドレストが備えられている。ヘッドレストは事故の際にユーザの頭が後方に移動することを規制し、ユーザの頭、首、背骨の損傷を防止することを助ける。ヘッドレストはまた、特に長期の運転において、ユーザの頭を休ませる場所を提供することで、ユーザに快適さを提供する。
【０００３】
ヘッドレストは、ユーザの快適性を強化するために、特別な構成で提供されることがある。例えば、柔軟なクッションを提供するために、発泡材などの所定の材料を使用することがある。また、快適性を強化するために、ヘッドレストの形状をデザインすることがある（例えば特許文献１）。
【先行技術文献】
【特許文献】
【０００４】
【特許文献１】米国特許７，７１７，５１７号
【発明の概要】
【発明が解決しようとする課題】
【０００５】
しかし、特許文献１では、側面翼部が後ろに戻らないという欠点がある。つまり、側面翼部を使用しないときに通常のヘッドレスの外観が得られない。
本発明は、従来技術の課題を解決するためになされたものである。特に、本発明の典型的な実施形態によるヘッドレストは、ユーザの後頭部および側頭部を支持するために調整が可能なクッションのような枕の利便性をユーザに提供する。この付加的な支持は、長期運転においてユーザのさらなる快適性を提供する。
【課題を解決するための手段】
【０００６】
本発明における車両用ヘッドレストは、中央部と、中央部の対向する端部に各々取り付けられるとともに前方に伸長し且つ後方に格納される二つの側面部材と、各側面部材に設けられ、他の前記側面部材とは独立して、前記各側面部材を前記中央部に対して複数の位置にて固定する固定機構とを有する。
【図面の簡単な説明】
【０００７】
【図１】一実施例に基づく伸縮可能で快適なヘッドレストアセンブリを示す正面図。
【図２】一実施例に基づく伸縮可能で快適なヘッドレストアセンブリを示す平面図。
【図３】一実施例に基づく伸縮可能で快適なヘッドレストアセンブリを示す背面図。
【図４】一実施例に基づく伸縮可能で快適なヘッドレストアセンブリを示す側面図。
【図５】図１の伸縮可能で快適なヘッドレストアセンブリのＡ線における平断面図。
【図６】一実施例に基づく伸縮可能で快適なヘッドレストアセンブリにおいて側面部材を伸長した状態を示す正面図。
【図７】一実施例に基づく伸縮可能で快適なヘッドレストアセンブリにおいて側面部材を伸長した状態を示す平面図。
【図８】一実施例に基づく伸縮可能で快適なヘッドレストアセンブリにおいて側面部材を取外した状態における中央部の側面図。
【図９】一実施例に基づく伸縮可能で快適なヘッドレストアセンブリにおける側面部材の側面図。
【発明を実施するための形態】
【０００８】
次に、図面を参照すると、各図において同一の参照番号は、同一又は対応する部材を示す。本発明の車両用ヘッドレストとしての伸縮可能で快適なヘッドレストは、乗用車を例とした陸上の車両に限らず、スポーツ用多目的車、ピックアップトラック、商用車、飛行機、電車など、類似した車両に適用可能である。本発明の車両のシート用の伸縮可能で快適なヘッドレストの一実施例について図１〜図９を参照しながら説明する。
【０００９】
図１は格納位置に配置された一実施形態における伸縮可能で快適なヘッドレスト１００の正面図を示す。伸縮可能で快適なヘッドレスト１００は、中央部１０２と、二つの側面部材１０４，１０６とを備える。二つの側面部材１０４，１０６の格納位置では、二つの側面部材１０４，１０６は中央部１０２と面一になっている。ユーザの操作により、側面部材１０４，１０６を中央部１０２の前面から突出するように伸長することができる。
【００１０】
図２は格納位置に配置された一実施形態における伸縮可能で快適なヘッドレスト１００の平面図を示す。中央部１０２の側面２０２，２０４は、中央部１０２の前面２０６から中央部１０２の後面２０８にかけて傾斜している。中央部１０２の側面２０２に対応する側面部材１０４の内側面２１０は、中央部１０２の側面２０２と同じ角度に傾斜しており、同様に、中央部１０２の側面２０４に対応する側面部材１０６の内側面２１２は、中央部１０２の側面２０４と同じ角度に傾斜している。従って、中央部１０２の前面２０６の幅Ｗ１は、中央部１０２の後面２０８の幅Ｗ２よりも広い。中央部１０２の傾斜した側面２０２，２０４は、側面部材１０４，１０６が伸長されたときに、側面部材１０４，１０６に角度の付いた配置を提供する。中央部１０２の側面２０２，２０４の傾斜角度は固定されている。図中の傾斜角度は一実施形態に過ぎず、排他的なものではない。中央部１０２の側面２０２，２０４の傾斜角度は任意の角度でよい。
【００１１】
図３は格納位置に配置された一実施形態における伸縮可能で快適なヘッドレスト１００の背面図を示す。中央部１０２のヘッドレストにおける後面２０８の幅は、ヘッドレストにおける前面２０６の幅よりも狭い。
【００１２】
図４は格納位置に配置された一実施形態における伸縮可能で快適なヘッドレスト１００の側面部材１０６を視認可能な右側面図を示す。側面部材１０６の中央にはボタン４０２が配置されている。ボタン４０２はトリム４０４に囲まれている。トリム４０４はボタン４０２に安定性を付加する。同様のボタンおよびトリムが伸縮可能で快適なヘッドレスト１００の左側面における側面部材１０４に備えられている。ボタン４０２は後述の通り、固定機構を作動させ、側面部材１０６を前方に伸長させる、若しくは側面部材１０６を後方に格納することにより、ユーザが側面部材１０６の位置を操作することを可能にする。
【００１３】
図５は一実施形態における伸縮可能で快適なヘッドレスト１００の内部構造を示す平断面図である。この図は図１のＡ線に沿った断面に基づく。伸縮可能で快適なヘッドレスト１００の前面２０６は図５の下部に示され、後面２０８は図５の上部に示されている。各側面部材１０４，１０６内に固定機構５０２が配置されている。固定機構５０２は旋回点５０６を中心に回転するピン５０４と、内スライド壁５０８と、格納固定位置５１０と、伸長固定位置５１２とを備える。両固定位置は内スライド壁５０８に設けられている溝である。
【００１４】
側面部材１０４に備えられる固定機構５０２は側面部材１０６に備えられる固定機構とほぼ同じである。そのため、側面部材１０６に備えられる固定機構５０２について説明する。ピン５０４にはピン５０４を内スライド壁５０８に押付けるバイアス力が作用している。バイアス力は図５に示す格納固定位置５１０などの溝にピン５０４の第１端５１４を固定する。ユーザがボタン４０２を押したとき、ボタン４０２は固定機構のピン５０４の第２端５１６を押し下げるとともに、第２端５１６に力が掛る。すると、ピン５０４は回転する必要が無いにもかかわらず、旋回点５０６を中心に図５において時計回り方向に回転する。ボタン４０２によってピン５０４に掛けられた力は、バイアス力に対向して作用する。同様に、側面部材１０４に備えられるピン５１８はボタン４０２が押し下げられたとき、反時計回り方向に回転する。
【００１５】
ピン５０４が回転すると、ピン５０４の第１端５１４が格納固定位置５１０から解除される。ピン５０４の第１端５１４が格納固定位置５１０から一旦解除されると、ユーザは側面部材１０６を前方に摺動させることができる。ピン５０４の第１端５１４が溝の外部の内スライド壁５０８に係合すると、ユーザはボタン４０２を押す必要が無くなり、ピン５０４の第２端５１６に力が掛らなくなる。ここで、バイアス力はピン５０４の第１端５１４を内スライド壁５０８に対して押し、第１端５１４は内スライド壁５０８に沿って摺動するように配置される。ピン５０４の第１端５１４は、伸長固定位置５１２などの新たな固定位置や溝に遭遇するまで、内スライド壁５０８に沿って摺動し続ける。第１端５１４が新たな固定位置や溝に遭遇したとき、バイアス力は第１端５１４を溝に押し込み、ピン５０４を新たな固定位置に固定する。
【００１６】
図５は２箇所の固定位置を示しているが、本発明はこれに限定されるものではない。伸縮可能で快適なヘッドレストはユーザの好みや必要に応じて側面部材１０４，１０６の位置を調整できるように、多数の固定位置を有していても良い。また、本発明における固定機構は一実施例に示される態様に限られるものではなく、固定機構５０２によりユーザが、側面部材１０４，１０６を中央部１０２に対し１箇所以上の位置に固定できれば良い。
【００１７】
本発明は、ユーザは単にボタンを押し、固定位置に固定されるまで側面部材を前方に伸長させるだけであるため、ユーザに容易な操作性を提供する。
図６は側面部材１０４，１０６を伸長位置に配置した一実施形態における伸縮可能で快適なヘッドレスト１００の正面図である。側面部材１０４，１０６を伸長させた位置においては、側面部材１０４，１０６は中央部１０２の前面から突出して伸長している。側面部材１０４，１０６が完全に伸長された状態で、中央部１０２の幅Ｗ１は９５パーセンタイルの男性の頭の大きさを収容するのに充分な大きさである。しかし、本発明はこれに限定されるものではなく、より大きな頭を収容するために幅はＷ１より広くても良いし、より小さな頭を収容するために幅はＷ１より狭くても良い。
【００１８】
一方の側面部材の伸縮は他方の側面部材に依存するものではない。ユーザは個人的な好みや必要性に応じて、一方もしくは両方の側面部材を伸長させることができる。各側面部材１０４，１０６の内面６０２は、各側面部材が伸長されたときのみ露出する。内面６０２はユーザの快適性を確保するために詰め物を有している。詰め物は、発泡剤や当業者に既知の材料でよい。さらに、ユーザの快適性を確保するために、多層の発泡剤や詰め物を使用することができる。
【００１９】
図７は側面部材１０４，１０６を伸長位置に配置した一実施形態における伸縮可能で快適なヘッドレスト１００の平面図である。伸縮可能で快適なヘッドレスト１００の前面２０６を図７の下部に示し、後面２０８を図７の上部に示す。伸長位置における長さＬは９５パーセンタイルの男性の頭の大きさを収容するのに充分な大きさである。しかし、本発明はこれに限定されるものではなく、より大きな頭を収容するために長さはＬより長くても良いし、より小さな頭を収容するために長さはＬより短くても良い。
【００２０】
図８は側面部材を取り外した一実施形態における伸縮可能で快適なヘッドレスト１００の中央部１０２の側面図である。スライド８０２，８０４は側面部材１０４に取り付けられている。スライド８０２，８０４は各々摺動溝８０６，８０８を通って移動することにより、側面部材１０４，１０６が中央部１０２に対して直線的に移動するように規制する。ユーザがピン５０４の固定を解除すると、ユーザは格納固定位置５１０と伸長固定位置５１２との間で側面部材１０４を摺動させることができる。ただし、固定位置や溝は２箇所のみではなく、固定位置や溝が多数あってもよい。ユーザが摺動溝８０６，８０８中のスライド８０２，８０４の助力により側面部材１０４を摺動させるとき、ピン５０４の第１端５１４も内スライド壁５０８に沿って摺動する。
【００２１】
前述の通り、伸縮可能で快適なヘッドレスト１００が格納位置にあるときは、ピン５０４は格納固定位置５１０に固定されている。さらに、伸縮可能で快適なヘッドレスト１００を前方に伸長させるときは、ピン５０４は伸長固定位置５１２に固定される。
【００２２】
図８に示す実施形態では、二つのスライドおよび二つの摺動溝を示しているが、本発明はこのように限定されるものではない。側面部材の直線的な運動を規制するために、追加の摺動溝やスライドを加えてもよい。使用するスライド機構は当業者にとって既知のスライド機構でよい。
【００２３】
図９は一実施形態の伸縮可能で快適なヘッドレスト１００の側面部材１０４の内部構造を示す側面図である。スライド８０２，８０４を切り欠き図を通してみることができる。スライド８０２，８０４は側面部材１０４に取り付けられており、中央部１０２に設けられる摺動溝８０６，８０８と各々係合している。領域９０２はボタン４０２を収容している。
【００２４】
本発明は、上記の教示から明らかなように、多数の変更や変形が可能である。故に、特許請求の範囲内において、ここに特に記載された以外の別の方法で本発明を実行し得ることは理解されるべきである。
【図１】
2015217935.tif 000003
【図２】
2015217935.tif 000004
【図３】
2015217935.tif 000005
【図４】
2015217935.tif 000006
【図５】
2015217935.tif 000007
【図６】
2015217935.tif 000008
【図７】
2015217935.tif 000009
【図８】
2015217935.tif 000010
【図９】
2015217935.tif 000011